(57)【要約】【課題】複数の種別の遊技制御基板を効率よく且つ簡便に検査できるような検査装置を得る。【解決手段】検査装置ＣＳ１は、遊技制御基板ＣＢを着脱自在に取り付け可能であり、検査プログラムを記憶したマスターコンピュータ１０と通信ラインＣＬ１を介して接続可能であり、マスターコンピュータから送られてくる検査プログラムを用いて、そこに取り付けられた遊技制御基板ＣＢの検査を行う。検査装置ＣＳ１は、マスターコンピュータと通信ラインを介して接続されるチェッカーユニット４０と、チェッカーユニットが取り付けられた中継基板５０と、中継基板と遊技制御基板とを接続する検査治具本体３０とを備えて構成される。マスターコンピュータから通信ラインを介して送られた検査プログラムがチェッカーユニットに記憶保存され、チェッカーユニットにより検査プログラムを用いて遊技制御基板ＣＢの検査を行う。【選択図】        図３
2009022358.tif 000002
【特許請求の範囲】
【請求項１】
遊技機用電子制御装置を着脱自在に取り付け可能で、検査プログラムを記憶したマスターコンピュータと通信ラインを介して接続可能であり、前記マスターコンピュータから送られてくる検査プログラムを用いて、そこに取り付けられた遊技機用電子制御装置の検査を行う遊技機用電子制御装置の検査装置であって、
前記マスターコンピュータと前記通信ラインを介して接続されるチェッカーユニットと、
前記チェッカーユニットが取り付けられた中継基板と、
前記中継基板と検査対象となる遊技機用電子制御装置とを接続する接続ユニットとを備えて構成され、
前記マスターコンピュータから前記通信ラインを介して送られた検査プログラムが前記チェッカーユニットに記憶保存され、前記接続ユニットを介して前記中継基板に検査対象となる遊技機用電子制御装置が繋がれた状態で、前記チェッカーユニットにより前記検査プログラムを用いて前記遊技機用電子制御装置の検査を行うように構成されたことを特徴とする遊技機用電子制御装置の検査装置。
【請求項２】
前記中継基板に繋がれたスタートユニットを備え、
前記接続ユニットを介して前記中継基板に検査対象となる遊技機用電子制御装置が繋がれた状態で、前記スタートユニットが操作されたときに、前記チェッカーユニットにより前記検査プログラムを用いて前記遊技機用電子制御装置の検査を行うように構成されたことを特徴とする請求項１に記載の遊技機用電子制御装置の検査装置。
【請求項３】
前記遊技機を構成する遊技作動ユニットが前記中継基板に繋がれて設けられており、前記チェッカーユニットにより前記検査プログラムを用いて前記遊技機用電子制御装置の検査を行うときに前記検査プログラムにより前記遊技作動ユニットを作動させて検査を行うように構成されたことを特徴とする請求項１もしくは２に記載の遊技機用電子制御装置の検査装置。
【請求項４】
前記チェッカーユニットが、前記マスターコンピュータから送られた複数の検査プログラムを記憶保存する記憶部と、前記記憶部に記憶された前記複数の検査プログラムから所定のプログラムを選択する選択部とを備え、
前記選択部により選択された検査プログラムを用いて前記遊技機用電子制御装置の検査を行うように構成されたことを特徴とする請求項１〜３のいずれかに記載の遊技機用電子制御装置の検査装置。
【請求項５】
前記チェッカーユニットが前記中継基板に着脱自在に接続可能であり、検査対象となる遊技機用電子制御装置の種別に応じて複数の前記チェッカーユニットを交換使用可能に構成されていることを特徴とする請求項１〜４のいずれかに記載の遊技機用電子制御装置の検査装置。
【請求項６】
前記マスターコンピュータとそれぞれ前記通信ラインを介して複数の前記チェッカーユニットが接続され、前記複数のチェッカーユニットにそれぞれ前記中継基板が着脱自在に接続可能であり、これら複数の前記中継基板に前記接続ユニットを介して繋がる遊技機用電子制御装置の種類に応じて前記チェッカーユニットに記憶保存される検査プログラムを変更することにより、同一の前記チェッカーユニットを共用できるようにしたことを特徴とする請求項１〜４に記載の遊技機用電子制御装置の検査装置。
【請求項７】
前記中継基板に識別ＩＤが付与されており、前記チェッカーユニットに記憶保持された前記検査プログラムが対応する前記中継基板の識別ＩＤを識別可能に構成され、前記チェッカーユニットにより前記検査プログラムを用いて前記遊技機用電子制御装置の検査を行うときに、この検査プログラムに対応する識別ＩＤを有した前記中継基板が接続されているときにのみこの検査を許容するように構成されていることを特徴とする請求項５もしくは６に記載の遊技機用電子制御装置の検査装置。
【請求項８】
前記チェッカーユニットに、前記検査プログラムを用いて前記遊技機用電子制御装置の検査を行った結果を表示する表示部が設けられていることを特徴とする請求項１〜７のいずれかに記載の遊技機用電子制御装置の検査装置。
【請求項９】
前記接続ユニットが、前記検査対象となる遊技機用電子制御装置を受容保持してこの遊技機用電子制御装置と電気接続させる受容ユニットを有して構成され、前記接続ユニットに前記中継基板が取り付けられていることを特徴とする請求項１に記載の遊技機用電子制御装置の検査装置。
【請求項１０】
前記接続ユニットが、前記検査対象となる遊技機用電子制御装置を受容保持してこの遊技機用電子制御装置と電気接続させる受容ユニットを有して構成され、前記接続ユニットに前記中継基板および前記スタートユニットが取り付けられていることを特徴とする請求項２に記載の遊技機用電子制御装置の検査装置。
【請求項１１】
前記スタートユニットが一対の操作ボタンから構成され、前記一対の操作ボタンが同時に操作されたときにのみ前記チェッカーユニットにより前記検査プログラムを用いて前記遊技機用電子制御装置の検査を行うことを許可するように構成されたことを特徴とする請求項１０に記載の遊技機用電子制御装置の検査装置。
【請求項１２】
前記接続ユニットが、前記中継基板に接続されて延びるケーブルと、前記ケーブルの先端に取り付けられて前記検査対象となる遊技機用電子制御装置と着脱自在に接続されるコネクタとから構成されることを特徴とする請求項１〜７のいずれかに記載の遊技機用電子制御装置の検査装置。
【発明の詳細な説明】
【技術分野】
【０００１】
本発明は、パチンコ機、スロットマシーン等の遊技作動・表示制御等を行う遊技機用電子制御装置、具体的には遊技制御基板等の検査を行う検査装置に関する。
【背景技術】
【０００２】
パチンコ機、スロットマシーン等に代表される遊技機は、機械的な装置構成を電気的に作動させる制御を採用しており、その作動制御を行う電子制御装置としての制御基板が搭載されている。この制御基板は、遊技機の機械的な作動制御、遊技機に設けられた表示装置による表示制御を行うものであり、制御基板に不良、不具合があると遊技機の作動不良に直結するため、制御基板の検査は非常に重要なものである。このため、遊技機の製造工程において遊技機やそこに用いられる制御基板の検査を行うシステムもしくは装置は従来から種々提案されている（例えば、特許文献１）。
【０００３】
なお、特許文献１に開示されている検査装置は、制御基板のみならずパチンコ機全体の検査を行うものであり、パチンコ機の各種の性能に係る試験を一度にまとめて自動で行うことができる構成であり、パチンコ機を試験するための検査用プログラムを搭載するとともに検査データを記憶するコンピュータを用いて検査を行うように構成されている。
【０００４】
【特許文献１】特開２００１−１４９６２０号公報
【発明の開示】
【発明が解決しようとする課題】
【０００５】
ところで、製造工程においては複数種の遊技機を混在して製造することが多く、この場合には製造工程においてこれら複数種遊技機のそれぞれの遊技機用制御基板（遊技機用電子制御装置）等を検査する必要がある。従来においては、これら複数種の制御基板を検査対象とするために、検査装置に搭載する検査プログラムをその都度交換して対応したり、各検査装置毎に複数の検査プログラムを記憶保持しておき、検査対象となる制御基板の種別に合わせて所望の検査プログラムを選択して検査を行うようになっていた。このため、検査対象となる制御基板の種別が変わる度に新たに検査の準備を行う必要があり、検査準備に手間がかかり煩雑であり、検査時間が長くなるという問題があった。
【０００６】
本発明はこのような問題に鑑みたもので、複数の種別の遊技機用制御装置（例えば、制御基板）を効率よく且つ簡便に検査できるような検査装置を提供することを目的とする。
【課題を解決するための手段】
【０００７】
本発明に係る遊技機用電子制御装置の検査装置は、遊技機用電子制御装置を着脱自在に取り付け可能であり、検査プログラムを記憶したマスターコンピュータと通信ラインを介して接続可能であり、前記マスターコンピュータから送られてくる検査プログラムを用いて、そこに取り付けられた遊技機用電子制御装置の検査を行うものであり、前記マスターコンピュータと前記通信ラインを介して接続されるチェッカーユニットと、前記チェッカーユニットが取り付けられた中継基板と、前記中継基板と検査対象となる遊技機用電子制御装置とを接続する接続ユニットとを備えて構成され、前記マスターコンピュータから前記通信ラインを介して送られた検査プログラムが前記チェッカーユニットに記憶保存され、前記接続ユニットを介して前記中継基板に検査対象となる遊技機用電子制御装置が繋がれた状態で、前記チェッカーユニットにより前記検査プログラムを用いて前記遊技機用電子制御装置の検査を行うように構成される。
【０００８】
なお、接続ユニットは、例えば、第１実施形態の場合には、中継基板５０が配設された検査治具本体３０、基板支持ボックス３１、本体筐体３０ａ内に配設された検査ピン、この検査ピンをコネクタ中継基板５０と繋げる内部配線等からなる構成がこれに該当する。また、第２実施形態の場合には、中継基板１５０に接続されて延び、検査用コネクタ１５５を先端に有した基板接続ケーブル１５５ａがこれに該当し、検査用コネクタ１５５を基板コネクタ１０２と嵌合接続させることにより、基板接続ケーブル１５５ａを介して検査対象となる遊技制御基板ＣＢを中継基板１５０と接続する構成を言う。
【０００９】
この検査装置において、前記中継基板に繋がれたスタートユニットを備え、前記接続ユニットを介して前記中継基板に検査対象となる遊技機用電子制御装置が繋がれた状態で、前記スタートユニットが操作されたときに、前記チェッカーユニットにより前記検査プログラムを用いて前記遊技機用電子制御装置の検査を行うように構成されるのが好ましい。
【００１０】
上記検査装置において、前記遊技機を構成する遊技作動ユニットが前記中継基板に繋がれて設けられており、前記チェッカーユニットにより前記検査プログラムを用いて前記遊技機用電子制御装置の検査を行うときに前記検査プログラムにより前記遊技作動ユニットを作動させて検査を行うように構成されるのが好ましい。
【００１１】
上記検査装置において、前記チェッカーユニットが、前記マスターコンピュータから送られた複数の検査プログラムを記憶保存する記憶部と、前記記憶部に記憶された前記複数の検査プログラムから所定のプログラムを選択する選択部とを備え、前記選択部により選択された検査プログラムを用いて前記遊技機用電子制御装置の検査を行うように構成されるのが好ましい。
【００１２】
上記検査装置において、前記チェッカーユニットが前記中継基板に着脱自在に接続可能であり、検査対象となる遊技機用電子制御装置の種別に応じて複数の前記チェッカーユニットを交換使用可能に構成されているのが好ましい。
【００１３】
上記検査装置において、前記マスターコンピュータとそれぞれ前記通信ラインを介して複数の前記チェッカーユニットが接続され、前記複数のチェッカーユニットにそれぞれ前記中継基板が着脱自在に接続可能であり、これら複数の前記中継基板に前記接続ユニットを介して繋がる遊技機用電子制御装置の種類に応じて前記チェッカーユニットに記憶保存される検査プログラムを変更することにより、同一の前記チェッカーユニットを共用できるように構成されているのが好ましい。
【００１４】
上記検査装置において、前記複数の中継基板にそれぞれ識別ＩＤが付与されており、前記チェッカーユニットに記憶保持された前記検査プログラムが対応する前記中継基板の識別ＩＤを識別可能に構成され、前記チェッカーユニットにより前記検査プログラムを用いて前記遊技機用電子制御装置の検査を行うときに、この検査プログラムに対応する識別ＩＤを有した前記中継基板が接続されているときにのみこの検査を許容するように構成されているのが好ましい。
【００１５】
上記検査装置において、前記チェッカーユニットに、前記検査プログラムを用いて前記遊技機用電子制御装置の検査を行った結果を表示する表示部が設けられているのが好ましい。
【００１６】
上記検査装置において、前記接続ユニットが、前記検査対象となる遊技機用電子制御装置を受容保持してこの遊技機用電子制御装置と電気接続させる受容ユニット（例えば、基板を受容保持する基板支持ボックス３１等を指す）を有して構成され、前記接続ユニットに前記中継基板が取り付けられているのが好ましい。
【００１７】
上記検査装置において、前記接続ユニットが、前記検査対象となる遊技機用電子制御装置を受容保持してこの遊技機用電子制御装置と電気接続させる受容ユニットを有して構成され、前記接続ユニットに前記中継基板および前記スタートユニットが取り付けられているのが好ましい。これは、第１実施形態における、検査治具本体３０に中継基板５０が取り付けられ、且つその下部支持部３０ｂの前部における左右端部に設けられた左右一対のスタートボタン３２ａ，３２ｂを指す。
【００１８】
上記検査装置において、前記スタートユニットが一対の操作ボタンから構成され、前記一対の操作ボタンが同時に操作されたときにのみ前記チェッカーユニットにより前記検査プログラムを用いて前記遊技機用電子制御装置の検査を行うことを許可するように構成されているのが好ましい。
【００１９】
上記検査装置において、前記接続ユニットが、前記中継基板に接続されて延びるケーブルと、前記ケーブルの先端に取り付けられて前記検査対象となる遊技機用電子制御装置と着脱自在に接続されるコネクタとから構成されるのが好ましい。これは、第２実施形態における、中継基板１５０に接続されて延び、検査用コネクタ１５５を先端に有した基板接続ケーブル１５５ａを指す。
【発明の効果】
【００２０】
上記のように構成された本発明に係るによれば、マスターコンピュータから通信ラインを介して送られてくる検査プログラムを用いて遊技用電子制御装置の検査を行う構成であるため、この検査装置自体に多くの検査プログラムを設定したり、記憶保存したりする必要がなく、多種類の遊技用電子制御装置の検査を簡単に行うことが可能である。さらに、この検査装置は、中継基板、チェッカーユニットおよび接続ユニットから構成されており、それぞれ異なる機能分担を行う構成であるため、構成を簡単にするとともに多くの種別の検査対象（遊技用電子制御装置）の検査を効率よく行うことが可能となる。また、複数の検査装置において、例えば、同一構成のチェッカーユニットを用いるようにして装置構成を簡単にすることが可能となる。
【００２１】
この検査装置において、接続ユニットを介して中継基板に検査対象となる遊技機用電子制御装置が繋がれた状態で、中継基板に繋がれたスタートユニットが操作されたときにチェッカーユニットにより検査プログラムを用いて遊技機用電子制御装置の検査を行うように構成すれば、検査員の意図に基づく確実な検査スタート設定を行うようにすることができる。
【００２２】
上記検査装置において、チェッカーユニットにより検査プログラムを用いて遊技機用電子制御装置の検査を行うときに検査プログラムにより遊技作動ユニットを作動させて検査を行うように構成すれば、検査中に遊技作動ユニットが作動するので、これを目視検査することができ、より確実な検査が可能となる。
【００２３】
上記検査装置において、チェッカーユニットにおいて記憶部に記憶された複数の検査プログラムから選択部により選択された検査プログラムを用いて遊技機用電子制御装置の検査を行うように構成すれば、検査の都度、マスターコンピュータから検査プログラムを取得する必要がなく、この装置をスタンドアローンタイプの検査装置して用いて効率の良い検査が可能となる。
【００２４】
上記検査装置において、検査対象となる遊技機用電子制御装置の種別に応じてチェッカーユニットを交換使用可能に構成すれば、複数の検査装置において、検査対象となる遊技機用電子制御装置の種別に応じてチェッカーユニットを共用使用することが可能となり、複数の検査装置を用いるようなシステム構成の場合に、その構成を簡単にすることが可能となる。
【００２５】
上記検査装置において、マスターコンピュータに複数のチェッカーユニットが接続され、それぞれ中継基板が着脱自在に接続可能である場合、これら複数の中継基板に繋がる遊技機用電子制御装置の種類に応じてチェッカーユニットに記憶保存される検査プログラムを変更すれば、同一のチェッカーユニットを共用でき、その構成を簡単にすることが可能となる。
【００２６】
上記検査装置において、チェッカーユニットにより検査プログラムを用いて遊技機用電子制御装置の検査を行うときに、この検査プログラムに対応する識別ＩＤを有した中継基板が接続されているときにのみこの検査を許容するように構成すれば、誤った検査プログラムを用いた検査が生じることを確実に防止できる。
【００２７】
上記検査装置において、チェッカーユニットに検査結果を表示する表示部を設ければ、この表示部の表示を見て検査結果を簡単に且つ迅速に知ることができ、検査効率を向上することができる。
【００２８】
上記検査装置において、接続ユニットが検査対象となる遊技機用電子制御装置を受容保持してこれと電気接続させる受容ユニットを有し、接続ユニットに中継基板が取り付けられている構成とすれば、中継基板を有した接続ユニットを一つの構成とすることができ、装置の全体構成を簡単にすることができる。
【００２９】
上記検査装置において、接続ユニットが検査対象となる遊技機用電子制御装置を受容保持してこれと電気接続させる受容ユニットを有し、接続ユニットに中継基板およびスタートユニットが取り付けられている構成とすれば、中継基板およびスタートユニットを有した接続ユニットを一つの構成とすることができ、装置の全体構成を簡単にすることができる。
【００３０】
この場合に、スタートユニットを一対の操作ボタンから構成し、これら一対の操作ボタンが同時に操作されたときにのみチェッカーユニットにより検査プログラムを用いて遊技機用電子制御装置の検査を行うことを許可するように構成すれば、スタートユニットを誤って操作して検査をスタートさせるような問題の発生を確実に防止することができる。
【００３１】
上記検査装置において、接続ユニットを中継基板に接続されて延びるケーブルと、その先端に取り付けられて検査対象となる遊技機用電子制御装置と着脱自在に接続されるコネクタとから構成すれば、接続ユニットを簡単な構成とすることができる。
【発明を実施するための最良の形態】
【００３２】
以下、図面を参照して本発明の好ましい実施形態について説明する。以下においては、図面を参照してスロットマシン用の遊技制御基板の検査装置を説明するが、製造過程においては、遊技制御基板に遊技制御用の心臓部となる電子部品（制御プログラムを記憶したＲＯＭ等）を未装着の状態で行う封印前検査と、この電子部品を装着して封印した状態で行う封印後検査とが行われるようになっており、封印前検査用の検査装置と、封印後検査用の検査装置とは構成が相違する。このため、封印前検査装置を第１実施形態として図１〜図７を参照して説明し、封印後検査装置を第２実施形態として図８〜図１０を参照して説明する。
【００３３】
これら第１および第２実施形態について説明する前に、遊技制御基板ＣＢについて図１１を参照して簡単に説明する。遊技制御基板ＣＢは、配線パターンが形成されるとともに多数の電子部品（いずれも図示省略）が実装された基板１００と、基板上に実装された遊技制御ＲＯＭ１０１と、基板上に実装された基板コネクタ１０２とから構成される。遊技制御ＲＯＭは遊技機における当たり確率等を決めるプログラムを有した遊技制御の心臓部とも言えるものであり、法的な規則に則って作られており、厳重な管理が求められる。このため、遊技制御ＲＯＭを除く電子部品および基板コネクタ１０２を実装した状態の基板を作成し、その状態での基板の作動を検査（これが封印前検査である）を行い、この検査により正常であることが確認された後に、遊技制御ＲＯＭ１０１を実装して封印し、この封印後の基板の検査（これが封印後検査である）も行うようになっている。
【００３４】
第１実施形態（封印前検査）
ここでは上述のように封印前の状態、すなわち、遊技制御の心臓部となる遊技制御ＲＯＭ１０１が未装着の状態の遊技制御基板の検査（すなわち、基板上の回路のチェック）を行うもので、この封印前検査装置は、図１に示すように、マスターシステムＭＳと、複数のクライアントシステムＣＳ１，ＣＳ２・・・と、マスターシステムＭＳとこれら複数のクライアントシステムＣＳ１，ＣＳ２・・・とを互いに通信可能に接続する通信ラインＣＬ１とを備えて構成される。
【００３５】
マスターシステムＭＳは、一般的な小型コンピュータ（パーソナルコンピュータでも良い）１０から構成され、この検査装置に必要とされる全ての検査プログラム等を記憶保存するメモリ、演算装置等を備えたコンピュータ本体１１と、検査状況、結果等の表示に用いられるディスプレイ部１２とを備えて構成される。通信ラインＣＬ１は、マスターシステムＭＳを構成するコンピュータ本体１１と複数のクライアントシステムＣＳ１，ＣＳ２・・・のそれぞれとをハブ２０を介して通信ケーブル２１、２２、２３・・・により通信可能に繋げている。
【００３６】
これらクライアントシステムＣＳ１，ＣＳ２・・・の構成を、クライアントシステムＣＳ１を例にして図２及び図３を参照して説明する。このクライアントシステムＣＳ１は、検査治具本体３０と、検査治具本体３０の上に着脱可能に取り付けられたリールユニット（遊技作動ユニット）３５と、スロットマシンにおいて実際に使用されるものと同一の構成を有した電源ユニット３８と、検査治具本体３０の前面に電気コネクタを介して着脱自在に装着されたチェッカーユニット４０と、検査治具本体３０内に配設された中継基板５０とを備えて構成される。
【００３７】
検査治具本体３０は、矩形箱状の本体筐体３０ａと、この本体筐体３０ａの下部を構成するとともに前方に突出する構成の下部支持部３０ｂとを備えて構成され、下部支持部３０ｂの上に検査対象となる遊技制御基板ＣＢを着脱自在に支持する基板支持ボックス３１が前後にスライド移動可能に設けられている。また、下部支持部３０ｂの前部における左右端部に左右一対のスタートボタン３２ａ，３２ｂが設けられている。なお、基板支持ボックス３１はその上面に遊技制御基板ＣＢを載置可能な構成であり、その前面に設けられたハンドル３１ａを引っ張って前方側に引き出した引出位置（図示の位置）から、ハンドル３１ａを押して本体筐体３０ａ内に押し込んだ装着位置まで前後にスライド移動可能となっている。
【００３８】
上述のように封印前の基板ＣＢは遊技制御ＲＯＭ１０１が未実装であり、基板コネクタ１０２からの信号を入力して検査しても遊技制御ＲＯＭの位置で配線が遮断されるため、所望の検査を行うことができない。このため、本体筐体３０ａ内には複数の検査ピン（図示せず）が設けられており、遊技制御ＲＯＭが未装着状態の遊技制御基板ＣＢを載置した基板支持ボックス３１が装着位置まで押し込まれたときに、これら検査ピンが下動されて遊技制御基板ＣＢの配線パターンの所望位置もしくは電子部品の所望の端子部と当接接触するように構成されている。なお、これら検査ピンは、図５に示すように、内部配線によりコネクタ中継基板５０と繋がるとともにコネクタ４５，５１を介してチェッカーユニット４０と接続されており、これにより、チェッカーユニット４０により検査ピンを介して信号の入出力を行って、遊技制御基板ＣＢの配線不良、遊技制御ＲＯＭ以外の電子部品の不良等の有無を検査可能となっている。
【００３９】
中継基板５０は本体筐体３０ａ内に配設されており、そこに取り付けられたチェッカー取付用コネクタ５１が本体筐体３０ａの前面側に露出して突出している。このチェッカー取付用コネクタ５１を介してチェッカーユニット４０が着脱自在に取り付けられる。
【００４０】
チェッカーユニット４０は、図４に示すように、矩形箱状のチェッカー筐体４０ａと、チェッカー筐体４０ａの前面側に設けられた液晶表示部４１、プログラム選択タクトスイッチ４２ａ〜４２ｃ、状態表示ＬＥＤ４３およびブザー４４と、チェッカー筐体４０ａの右側面に設けられたＤＣジャック４６および電源スイッチ４７と、左側面に設けられたＬＡＮコネクタ４８と、チェッカー筐体４０ａの後面に設けられたチェッカー側コネクタ４５とを備える。液晶表示部４１は検査を行うための各種表示を行うもので、タクトスイッチ４２ａ〜４２ｃは液晶表示部４１での表示と組み合わせて検査プログラムを選択するために操作されるスイッチである。状態表示ＬＥＤ４３は、電源ＯＮ時に青色点灯する電源確認用ＬＥＤ４３ａと、検査結果がＯＫのときに緑色点灯するＯＫ表示ＬＥＤ４３ｂと、検査結果がＮＧのときに赤色点灯するＮＧ表示ＬＥＤ４３ｃと、検査中に黄色点灯する検査中表示ＬＥＤ４３ｄとからなる。ブザー４４は、検査結果により異常と判断されたときに音によりそれを通知するためのものである。
【００４１】
チェッカーユニット４０は図示しないＡＣアダプタにより変換された所定電圧の直流電力を受けて作動されるもので、この直流電力が供給されるＡＣアダプタに繋がる電源ラインがＤＣジャック４６に接続される。電源スイッチ４７はＤＣジャック４６から電力供給を行わせてチェッカーユニット４０を作動させるときに操作されるスイッチである。ＬＡＮコネクタ４８は通信ケーブル２２と接続するためのコネクタである。チェッカー側コネクタ４５は、本体筐体３０ａの前面側に露出して突出するチェッカー取付用コネクタ５１と嵌合接続可能であり、チェッカー側コネクタ４５をチェッカー取付用コネクタ５１と嵌合させて、チェッカーユニット４０を本体筐体３０ａの前面に着脱自在に取り付けることができる。
【００４２】
検査治具本体３０の上に着脱可能に取り付けられたリールユニット３５は、実際のスロットマシンに使用される代表的なリールユニットであり、遊技制御基板ＣＢに実装された各種電子部品（遊技制御ＲＯＭ１０１以外の電子部品）によりリールユニット３５が正常に作動するかを確認するために設けられている。このため、検査対象となる遊技制御基板ＣＢが搭載されるスロットマシンにおいて実際に使用されるリールユニットと同一のものである必要はなく、同種の作動構成を有して作動確認を行うことができる同種の構成のリールユニットであれば良い。
【００４３】
電源ユニット３８は実際のスロットマシンに使用される代表的な電源ユニットであり、実際のスロットマシンにおいては遊技制御基板ＣＢはこの電源ユニットから供給される電力を受けて作動するものであるため、電源ユニット３８からの電力供給を行わせて遊技制御基板ＣＢの検査を行う。このため、検査対象となる遊技制御基板ＣＢが搭載されるスロットマシンにおいて実際に使用される電源ユニットと同一のものである必要はなく、これと同様な電力供給を行わせて遊技制御基板ＣＢの作動確認を行うことができる同種の構成の電源ユニットであれば良い。
【００４４】
以上の構成のクライアントシステムＣＳ１の作動構成は図５のブロック図に示すようになっており、この図を参照してその作動を含めもう少し具体的に構成を説明する。検査治具本体３０内には、それ自体の作動制御用のＣＰＵ基板３３ａ、外部ＡＣ１００Ｖ電力供給を受けるピン治具電源３３ｂ等を備える。また、この検査治具本体３０内において検査ピンを遊技制御基板ＣＢに当接させる移動制御をエアシリンダにより行うように構成されており、そのためのエア供給を行うエアコンプレッサ３６を有している。検査ピンの移動のためのエアコンプレッサ３６から供給されたエアの供給制御は、ピン治具電源３３ｂにより電力供給を受けるとともにＣＰＵ基板３３ａ内のプログラムによりバルブ（図示せず）の作動を制御して行われる。
【００４５】
検査治具本体３０内には前述のように中継基板５０が配設されており、そこに取り付けられたチェッカー取付用コネクタ５１にチェッカー側コネクタ４５を嵌合させてチェッカーユニット４０が中継基板５０に接続されている。また、電源ユニット３８は中継基板５０に接続され、電源ユニット３８からの電力が中継基板５０から検査ピンを介して被検査主基板となる遊技制御基板ＣＢに実際のスロットマシンにおける場合と同様に供給される。さらに、リールユニット３５も中継基板５０に接続されており、遊技制御基板ＣＢから検査ピンを介して出力される制御信号を受けてリールユニット３５の作動が制御される。
【００４６】
以上説明したように構成される封印前検査装置における具体的な検査内容について、図６および図７に示すマスターシステムにおけるディスプレイ部１２での表示例を参照しながら説明する。なおここでは、マスターシステムＭＳと繋がるクライアントシステムＣＳ１に遊技制御基板ＣＢを搭載して検査する場合の例を説明する。
【００４７】
マスターシステムＭＳを構成するコンピュータ本体１１のメモリにはこれに繋がるクライアントシステムＣＳ１，ＣＳ２・・・に必要とされる検査プログラムが入力され、記憶されている。なお、新たな種別の遊技制御基板を検査するときに、その都度、その基板用の検査プログラムをコンピュータ本体１１のメモリに入力して記憶される構成であっても良い。
【００４８】
マスターシステムＭＳのディスプレイ部１２には、図６に示すように、通信ライン２０を介して繋がるクライアントシステムＣＳ１，ＣＳ２・・・との接続状態が表示される。例えば、図６に示す表示「CHECKER 1 〜 CHECKER 12」がクライアントシステムＣＳ１〜１２に対応し、この検査装置では合計１２のクライアントシステムが接続可能であることを示している。これら各表示毎に、対応クライアントシステムの状態が表示され、その表示としては、図７に示すように、クライアントシステムが未接続状態もしくは未作動状態であることを示す表示（「No Signal」という表示）、クライアントシステムに接続されて待機中であり、検査が開始できるということを示す表示（「待機中」という表示）、クライアントシステムにおける検査を実行中ということを示す表示（「検査中」という表示）、クライアントシステムにおける検査を実行した結果ＯＫ（異常なし）であるということを示す表示（「ＯＫ」という表示）、クライアントシステムにおける検査を実行して異常が見つかりその異常内容を示す表示（例えば、図示のように「７ＳＥＧデジット３が異常です。」いう表示）がある。
【００４９】
なお、図６の場合には、クライアントシステム（CHECKER）ＣＳ１，ＣＳ２，ＣＳ４に装着された遊技制御基板の検査結果がＯＫ（異常なし）であり、クライアントシステムＣＳ３に装着された遊技制御基板は検査により異常が見つかりその異常内容が表示（「７ＳＥＧデジット３が異常です。」という表示）されており、クライアントシステムＣＳ５，ＣＳ６は現在検査中であり、クライアントシステムＣＳ７は繋がっているが検査待ち状態（検査を開始可能な状態）であることを示している。また、クライアントシステムＣＳ８〜ＣＳ１２については信号が送られてきておらず、未接続状態もしくは未作動状態であることを示している。
【００５０】
さらに、図６の表示の左下部には検査結果の集計が表示されており、この例では合計５００個の遊技制御基板が検査され、そのうちＯＫの基板が４９７個、ＮＧの基板が３個であることが示されている。
【００５１】
次に、マスターシステムＭＳに繋がるクライアントシステムＣＳ１による遊技制御基板ＣＢの検査を例にして、その検査内容について説明する。クライアントシステムＣＳ１において遊技制御基板ＣＢの検査を行うには、検査対象となる遊技制御基板ＣＢに対応する検査プログラムをマスターシステムＭＳのコンピュータ本体１１のメモリから読み出してチェッカーユニット４０のメモリにダウンロードする。このダウンロードは、マスターシステムＭＳのコンピュータ本体１１において指令を入力して行っても良く、クライアントシステムＣＳ１側からの要求に応じて行っても良い。なお、クライアントシステムＣＳ１のチェッカーユニット４０のメモリには複数の検査プログラムを記憶可能であり、予め複数の検査プログラムをダウンロードして記憶しておき、検査員がプログラム選択タクトスイッチ４２ａ〜４２ｃを操作して所望の検査プログラムを選択できるようになっている。
【００５２】
クライアントシステムＣＳ１において検査を行うには、まず、ハンドル３１ａを引っ張って基板支持ボックス３１を引出位置まで移動させ、その上に検査対象となる遊技制御基板ＣＢを載置する。そして、ハンドル３１ａを押して基板支持ボックス３１を遊技制御基板ＣＢを搭載したまま装着位置まで押し込む。このようにして基板支持ボックス３１が装着位置に移動すると、エアコンプレッサ３６から供給されるエア圧の供給制御により検査ピンが下動され、遊技制御基板ＣＢの配線パターンの所望位置もしくは電子部品の所望の端子部と当接接触して検査が開始可能な状態となる。
【００５３】
そして、検査員が左右のスタートボタン３２ａ，３２ｂを同時に押し下げ操作すると、検査開始指令信号がチェッカーユニット４０に送られ、チェッカーユニット４０において記憶されて選択された検査プログラムに基づいて遊技制御基板ＣＢの検査が行われる。このように左右のスタートボタン３２ａ，３２ｂを同時に押し下げ操作しないと検査が開始されない構成であり、スタートボタンの誤操作を防止している。
【００５４】
この検査は、検査プログラムに基づいてチェッカーユニット４０から中継基板５０を介して検査指令信号が遊技制御基板ＣＢに送られ、これに応じて遊技制御基板ＣＢから出力される信号内容をチェックして行われる。このとき、遊技制御基板ＣＢからはリールユニット３５を作動させる信号も出力され、これが中継基板５０を介してリールユニット３５に送られてこれが回転駆動されるので、この回転駆動を検査員が目視でチェックして検査するという検査も行われるようにもなっている。このようにして検査が行われているときに、チェッカーユニット４０の状態表示ＬＥＤ４３のうちの検査中表示ＬＥＤ４３ｄが点灯する。
【００５５】
なお、検査員が左右のスタートボタン３２ａ，３２ｂを同時に押し下げ操作して検査開始指令信号がチェッカーユニット４０に送られときに、この検査開始指令信号は通信ラインＣＬ１を介してマスターシステムＭＳのコンピュータ本体１１にも送られ、コンピュータ本体１１においては、この検査開始指令信号を受けると、ディスプレイ部１２におけるクライアントシステムＣＳ１の状態表示（図６のCHECKER1の欄の表示）を「待機中」表示から「検査中」表示に切り換える。
【００５６】
このようにしてチェッカーユニット４０のメモリから選択して検査プログラムに従って検査が行われ、検査が完了するとその検査結果がチェッカーユニット４０の液晶表示部４１に表示され且つ状態表示ＬＥＤ４３による点灯表示がなされる。なお、この検査結果を、通信ラインＣＬ１を介してマスターシステムＭＳのコンピュータ本体１１に送るように構成しても良い。マスターシステムＭＳのコンピュータ本体１１は検査開始指令信号を受けたときから所定時間間隔（例えば、１秒間隔）で通信ラインＣＬ１を介してチェッカーユニット４０にアクセスして状態監視を行うようになっており、その監視結果に基づいて、検査が行われている間はディスプレイ部１２におけるクライアントシステムＣＳ１の状態表示を「検査中」表示にする。また、検査が完了したときには、検査完了報告がマスターシステムＭＳに送信される。
【００５７】
このようにして検査完了報告がチェッカーユニット４０から通信ラインＣＬ１を介してマスターシステムＭＳのコンピュータ本体１１に送られると、ディスプレイ部１２におけるクライアントシステムＣＳ１の状態表示をこの検査結果に基づく表示に変更する。すなわち、検査結果が異常無しのときには「ＯＫ」表示とし、異常が見つかったときにはその旨もしくは異常内容を示す表示を行う。なお、検査完了報告のみがマスターシステムＭＳに送信される場合には、マスターシステムＭＳでは検査が完了したことが判断できるだけであるが、この異常内容をマスターシステムＭＳに送って表示させ、且つ、これが見つかった日時記録情報とともに異常内容を記憶保存するように構成しても良い。
【００５８】
一方、チェッカーユニット４０においてもこれと同様な表示がなされる。すなわち、検査結果が異常無しのときには状態表示ＬＥＤ４３のＯＫ表示ＬＥＤ４３ｂを点灯するとともに液晶表示部４１に「ＯＫ」表示を行い、異常が見つかったときには状態表示ＬＥＤ４３のＮＧ表示ＬＥＤ４３ｃを点灯するとともにブザー４４を鳴らして警告を行い、さらに液晶表示部４１にその異常内容を示す表示を行う。なお、この異常内容はチェッカーユニット４０（もしくは他の適切なメモリ部）において、これが見つかった日時記録情報とともに記憶保存されるようにしても良い。この場合、メモリ部は不揮発性メモリもしくは保持機能を有したメモリを用いて電源オフの場合でも所定時間（例えば、１週間）以上の記憶保持が可能なように構成される。この構成から分かるように、クライアントシステムＣＳ１は、チェッカーユニット４０のメモリに検査プログラムをマスターシステムＭＳからダウンロードして記憶保存している限りにおいて、それ単独で遊技制御基板ＣＢの検査を行って、その結果を表示させるスタンドアローンタイプの検査装置として用いることができる。
【００５９】
以上のようにして遊技制御基板ＣＢの検査が完了したときには、ハンドル３１ａを引っ張って基板支持ボックス３１を引出位置まで移動させ、その上に載置した検査済みの遊技制御基板ＣＢを取り外し、新たな検査対象となる遊技制御基板ＣＢを載置して次の検査が行われる。なお、基板支持ボックス３１を引出位置と装着位置とで自動的にスライド移動させる機構を設け、検査開始および完了時に基板支持ボックス３１を自動的にスライド移動させるような構成としても良い。
【００６０】
以上説明した検査が、他のクライアントシステムＣＳ２等においても同様に行われ、マスターシステムＭＳのコンピュータ本体１１には、通信ラインＣＬ１を介して繋がる全てのクライアントシステムからの検査結果が送られてくる。このため、コンピュータ本体１１においては、このようにした各クライアントシステムからの検査結果を集計し、図６における左下に示すように、集計結果を表示する。
【００６１】
第２実施形態（封印後検査）
次に、上述のように封印前検査装置により検査が行われて異常なしと判定された遊技制御基板ＣＢに、遊技制御の心臓部となる遊技制御ＲＯＭ１０１を装着して封印した後の遊技制御基板ＣＢの検査を行う封印後検査装置について、図８〜図１０を参照して説明する。
【００６２】
封印後検査は、遊技制御ＲＯＭを実装した遊技制御基板ＣＢの検査を行うもので、遊技機における電源制御、作動制御、表示制御等の機能を検査する。具体的には、当たり確率の設定（例えば、１〜６までの６段階の設定が可能）の状態もしくは作動確認、遊技機の表示部における表示、演出に係るサブ制御出力の状態もしくは作動確認、メダル投入や払出の状態もしくは作動確認、回転リールの状態もしくは作動確認、各種スイッチの作動に伴う信号状態確認、外部情報の入出力確認等の検査が行われる。なお、本実施形態ではスロットマシンを対象としているが、パチンコ機の場合には、各週入賞口やゲートのスイッチの作動確認や、保留ランプの状態もしくは作動確認等を含めた遊技制御全般の検査が行われる。なお、従来の封印後検査システムでは、基板の種別毎に専用の検査治具を必要としていたが、本実施形態の封印後検査システムでは、基板の種別変更時に、プログラムと中継基板の変更で対応が可能である。
【００６３】
封印後検査装置は、図８に示すように、マスターシステムＭＳと、複数のクライアントシステムＣＳ１０１，ＣＳ１０２・・・と、マスターシステムＭＳとこれら複数のクライアントシステムＣＳ１０１，ＣＳ１０２・・・とを互いに通信可能に接続する通信ラインＣＬ２とを備えて構成される。
【００６４】
マスターシステムＭＳは、図１に示す第１実施例に係るマスターシステムと同一のものを用いても良く、一般的な小型コンピュータ（パーソナルコンピュータでも良い）１０から構成され、この検査装置に必要とされる全ての検査プログラム等を記憶保存するメモリを備えたコンピュータ本体１１と、ディスプレイ部１２とを備える。通信ラインＣＬ２は、マスターシステムＭＳを構成するコンピュータ本体１１と複数のクライアントシステムＣＳ１０１，ＣＳ１０２・・・のそれぞれとを、ハブ１２０を介して通信ケーブル１２１、１２２、１２３・・・により通信可能に繋げている。
【００６５】
これらクライアントシステムＣＳ１０１，ＣＳ１０２・・・の構成を、クライアントシステムＣＳ１０１を例にして図９および図１０を参照して説明する。このクライアントシステムＣＳ１０１は、検査対象となる遊技制御基板ＣＢを保持する基板保持体１３０と、スタートボタン１３２ａを有したスタートスイッチユニット１３２と、リールユニット（遊技作動ユニット）３５と、電源ユニット３８と、チェッカーユニット４０と、中継基板１５０とを備えて構成される。なお、リールユニット３５、電源ユニット３８およびチェッカーユニット４０は、上記第１実施形態において説明した封印前検査装置を構成するクライアントシステムＣＳ１，ＣＳ２・・・に用いたものと同一構成のものを用いるため、これらについては同一部分に同一番号を付して、その詳細説明は省略する。
【００６６】
クライアントシステムＣＳ１０１においては、基板保持体１３０に保持された遊技制御基板ＣＢの基板コネクタ１０２と嵌合接続可能な検査用コネクタ１５５を先端に有した基板接続ケーブル１５５ａが中継基板１５０に接続されており、検査用コネクタ１５５を基板コネクタ１０２と嵌合接続させることにより、基板接続ケーブル１５５ａを介して検査対象となる遊技制御基板ＣＢを中継基板１５０と接続するようになっている。
【００６７】
スタートスイッチユニット１３２、リールユニット３５および電源ユニット３８はそれぞれ、接続ケーブル１３２ｂ，３５ａおよび３８ａを介して中継基板１５０に接続されている。チェッカーユニット４０は、上記第１実施形態において説明した封印前検査装置を構成するクライアントシステムＣＳ１における場合と同様に、電気コネクタにより着脱自在となって中継基板１５０に接続されている。チェッカーユニット４０はＡＣアダプタ１４９を先端に有した接続ケーブル１４９ａがＤＣジャック４６に接続されるようになっており、ＡＣアダプタ１４９を電源コンセントに差し込んでここで所定電圧の直流電力に変換し、これがチェッカーユニット４０に供給される。
【００６８】
以上の構成のクライアントシステムＣＳ１０１の作動構成は図１０のブロック図に示すようになっており、このような構成の封印後検査装置における具体的な検査内容について、以下に説明する。なお、マスターシステムＭＳのディスプレイ部１２における表示は、図６および図７に示したものと同じ表示がなされる。
【００６９】
クライアントシステムＣＳ１０１において、遊技制御ＲＯＭ１０１を実装して封印した後の遊技制御基板ＣＢの検査を行うには、この遊技制御基板ＣＢに対応する検査プログラムをマスターシステムＭＳのコンピュータ本体１１のメモリから読み出してチェッカーユニット４０のメモリにダウンロードする。クライアントシステムＣＳ１のチェッカーユニット４０のメモリに予め複数の検査プログラムをダウンロードして記憶しておき、検査員がプログラム選択タクトスイッチ４２ａ〜４２ｃを操作して所望の検査プログラムを選択しても良い。
【００７０】
クライアントシステムＣＳ１０１において検査を行うには、まず、検査対象となる遊技制御基板ＣＢを基板保持体１３０にに保持させ、検査用コネクタ１５５をこの遊技制御基板ＣＢの基板コネクタ１０２と嵌合させて基板接続ケーブル１５５ａを介して中継基板１５０と接続する。
【００７１】
これにより検査可能な状態となるため、検査員がスタートスイッチユニット１３２のスタートボタン１３２ａを押し下げ操作すると、検査開始指令信号が中継基板１５０を介してチェッカーユニット４０に送られ、チェッカーユニット４０において記憶されて選択された検査プログラムに基づいて遊技制御基板ＣＢの検査が行われる。
【００７２】
この検査は、検査プログラムに基づいてチェッカーユニット４０から中継基板１５０を介して検査指令信号が遊技制御基板ＣＢに送られ、これに応じて遊技制御基板ＣＢから出力される信号内容をチェックして行われる。このとき、遊技制御基板ＣＢからはリールユニット３５を作動させる信号も出力され、これが中継基板１５０を介してリールユニット３５に送られてこれが回転駆動されるので、この回転駆動を検査員が目視でチェックして検査するという検査も行われる。このようにして検査が行われているときに、チェッカーユニット４０の状態表示ＬＥＤ４３のうちの検査中表示ＬＥＤ４３ｄが点灯する。
【００７３】
なお、検査員がスタートボタン１３２ａを押し下げ操作して検査開始指令信号がチェッカーユニット４０に送られときに、この検査開始指令信号は通信ラインＣＬ２を介してマスターシステムＭＳのコンピュータ本体１１にも送られる。コンピュータ本体１１においては、この検査開始指令信号を受けると、ディスプレイ部１２におけるクライアントシステムＣＳ１の状態表示（図６のCHECKER1の欄の表示）を「待機中」表示から「検査中」表示に切り換える。
【００７４】
このようにしてチェッカーユニット４０のメモリから選択して検査プログラムに従って検査が行われ、検査が完了するとその検査結果がチェッカーユニット４０の液晶表示部４１に表示され且つ状態表示ＬＥＤ４３による点灯表示がなされる。なお、この検査結果を、通信ラインＣＬ２を介してマスターシステムＭＳのコンピュータ本体１１に送るように構成しても良い。マスターシステムＭＳのコンピュータ本体１１は検査開始指令信号を受けたときから所定時間間隔（例えば、１秒間隔）で通信ラインＣＬ２を介してチェッカーユニット４０にアクセスして状態監視を行うようになっており、その監視結果に基づいて、検査が行われている間はディスプレイ部１２におけるクライアントシステムＣＳ１の状態表示を「検査中」表示にする。また、検査が完了したときには、検査完了報告がマスターシステムＭＳに送信される。
【００７５】
このようにして検査完了報告がチェッカーユニット４０から通信ラインＣＬ２を介してマスターシステムＭＳのコンピュータ本体１１に送られると、ディスプレイ部１２におけるクライアントシステムＣＳ１０１の状態表示をこの検査結果に基づく表示に変更する。すなわち、検査結果が異常無しのときには「ＯＫ」表示とし、異常が見つかったときにはその旨もしくは異常内容を示す表示を行う。なお、検査完了報告のみがマスターシステムＭＳに送信される場合には、マスターシステムＭＳでは検査が完了したことが判断できるだけであるが、この異常内容をマスターシステムＭＳに送って表示させ、且つ、これが見つかった日時記録情報とともに異常内容を記憶保存するように構成しても良い。
【００７６】
一方、チェッカーユニット４０においてもこれと同様な表示がなされる。すなわち、検査結果が異常無しのときには状態表示ＬＥＤ４３のＯＫ表示ＬＥＤ４３ｂを点灯するとともに液晶表示部４１に「ＯＫ」表示を行い、異常が見つかったときには状態表示ＬＥＤ４３のＮＧ表示ＬＥＤ４３ｃを点灯するとともに液晶表示部４１にその異常内容を示す表示を行う。なお、この異常内容はチェッカーユニット４０（もしくは他の適切なメモリ部）において、これが見つかった日時記録情報とともに記憶保存されるようにしても良い。この場合、メモリ部は不揮発性メモリもしくは保持機能を有したメモリを用いて電源オフの場合でも所定時間（例えば、１週間）以上の記憶保持が可能なように構成される。この構成から分かるように、このクライアントシステムＣＳ１０１も、チェッカーユニット４０のメモリに検査プログラムをマスターシステムＭＳからダウンロードして記憶保存している限りにおいて、それ単独で遊技制御基板ＣＢの検査を行って、その結果を表示させるスタンドアローンタイプの検査装置として用いることができる。
【００７７】
以上説明した検査が、他のクライアントシステムＣＳ１０２等においても同様に行われ、マスターシステムＭＳのコンピュータ本体１１には、通信ラインＣＬ２を介して繋がる全てのクライアントシステムからの検査結果が送られてくる。このため、コンピュータ本体１１においては、このようにした各クライアントシステムからの検査結果を集計し、図６における左下に示すように、集計結果を表示する。
【００７８】
以上、第１実施形態として図１に全体概略構成を示す封印前検査装置の基本的な構成および作動を説明し、第２実施形態として図８に全体概略構成を示す封印後検査装置の基本的な構成および作動を説明したが、これら両装置においてチェッカーユニット４０は同一構成のものを共通して用いることが可能である。このため、チェッカーユニット４０は中継基板５０，１５０と電気コネクタを介して着脱自在な構成としており、必要に応じていずれかのクライアントシステムからチェッカーユニット４０を取り外して別のクライアントシステムで用いることができる。
【００７９】
また、いずれの装置においても、検査対象となる遊技制御基板ＣＢの種別を認識する手段を設け、これに対応する検査プログラムのみの使用を許可し、誤った検査プログラムの使用を防止できるような構成を用いても良い。例えば、各クライアントシステムを所定種別の遊技制御基板専用の構成としてそこに配設される中継基板にこの種別専用であることを示す識別コードＩＤを付与しておき、チェッカーユニット４０においてこの種別に対応しない検査プログラムが使用されようとしたことを識別コードＩＤを照合して判断し、誤った検査プログラムの使用を禁止するように構成するのが好ましい。
【００８０】
さらに、遊技制御基板ＣＢに同様な識別コードを付与し、検査対象となる遊技制御基板ＣＢを取り付けたときにその種別を識別できる構成とし、チェッカーユニット４０においてこの種別に対応しない検査プログラムが使用されようとしたことをこの識別コードＩＤを照合して判断し、誤った検査プログラムの使用を禁止するように構成しても良い。
【００８１】
以上、スロットマシン用の遊技制御基板の検査装置について説明したが、本発明の適用対象はスロットマシンに限られるものではなく、パチンコ機等の他の遊技機の検査装置においても本発明を適用しても良いのは無論のことである。
【図面の簡単な説明】
【００８２】
【図１】本発明の第１実施形態に係る封印前検査装置の構成を示す概略説明図である。
【図２】上記封印前検査装置を構成するクライアントシステムＣＳ１の構成を示す斜視図である。
【図３】上記クライアントシステムＣＳ１の部分構成を示す斜視図である。
【図４】上記クライアントシステムＣＳ１に用いられるチェッカーユニットを前面側および後面側から示す斜視図である。
【図５】上記クライアントシステムＣＳ１の構成を模式的に示すブロック図である。
【図６】上記封印前検査装置のマスターシステムを構成するディスプレイ部の表示例を示す説明図である。
【図７】上記封印前検査装置のマスターシステムを構成するディスプレイ部の表示例を示す説明図である。
【図８】本発明の第２実施形態に係る封印後検査装置の構成を示す概略説明図である。
【図９】上記封印後検査装置を構成するクライアントシステムＣＳ１０１の構成を示す斜視図である。
【図１０】上記クライアントシステムＣＳ１０１の構成を模式的に示すブロック図である。
【図１１】本発明の検査装置の検査対象となる遊技制御基板の構成を概略的に示す斜視図である。
【符号の説明】
【００８３】
ＣＢ  遊技制御基板                  ＭＳ  マスターシステム
ＣＳ１，ＣＳ１０１・・・  クライアントシステム
ＣＬ１，ＣＬ２  通信システム        １０１  遊技制御ＲＯＭ
１０  小型コンピュータ              １１  コンピュータ本体
１２  ディスプレイ部
２０  ハブ                          ２１，２２，２３  通信ケーブル
３０  検査治具本体                  ３１  基板支持ボックス
３５  リールユニット                ３８  電源ユニット
４０  チェッカーユニット            ４１  液晶表示部
４２ａ〜４２ｃ  プログラム選択タクトスイッチ
４３  状態表示ＬＥＤ                ４４  ブザー
４５  チェッカー側コネクタ
５０  中継基板                      ５１  チェッカー取付用コネクタ
【図１】
2009022358.tif 000003
【図２】
2009022358.tif 000004
【図３】
2009022358.tif 000005
【図４】
2009022358.tif 000006
【図５】
2009022358.tif 000007
【図６】
2009022358.tif 000008
【図７】
2009022358.tif 000009
【図８】
2009022358.tif 000010
【図９】
2009022358.tif 000011
【図１０】
2009022358.tif 000012
【図１１】
2009022358.tif 000013